(57)【要約】【課題】設計仲介会社が、顧客に代わって設計業務を委託する際に、複数の設計会社を活用し、顧客に対して所定品質の設計業務を安価に提供できる設計委託システムを提供する。【解決手段】設計業務を委託しようとする顧客７と、複数の設計会社８と、顧客７に代わって複数の設計会社８の少なくとも１社に設計業務を委託する設計仲介会社３とからなる設計委託システムにおいて、設計仲介会社３が、公開ホームページ上で各設計会社８の品質調査，信用調査，価格収集を実行する手段を含む設計委託サーバ２を備えた。顧客の依頼内容を設計会社向けホームページ上に掲載し、複数の設計会社間で競争入札する。顧客に対しては、所定品質の設計業務を安価に提供できる。複数の設計会社間で競争入札するので、国内外を問わず、より安価な設計会社に設計業務を委託できる。【選択図】　　　　図１
2004038890.tif 000002
【特許請求の範囲】
【請求項１】
設計業務を委託しようとする顧客と、複数の設計会社と、前記顧客に代わって前記複数の設計会社の少なくとも１社に前記設計業務を委託する設計仲介会社とが参加する設計委託システムにおいて、
前記設計仲介会社が、公開ホームページ上で前記各設計会社の品質調査，信用調査，価格収集を実行する手段を含む設計委託サーバを備えた
ことを特徴とする設計委託システム。
【請求項２】
請求項１に記載の設計委託システムにおいて、
前記設計委託サーバが、公開ホームページ上で前記顧客の依頼を受け付ける手段を備えた
ことを特徴とする設計委託システム。
【請求項３】
請求項１または２に記載の設計委託システムにおいて、
前記設計委託サーバが、設計業務を委託する際に、顧客の依頼内容を公開ホームページ上に掲載する手段と、前記複数の設計会社間で競争入札させる手段とを備えた
ことを特徴とする設計委託システム。
【請求項４】
請求項１ないし３のいずれか一項に記載の設計委託システムにおいて、
前記設計会社の品質調査を実行する手段が、公開ホームページ上でＩＳＯ登録番号を入力させる画面を備えた
ことを特徴とする設計委託システム。
【請求項５】
請求項１ないし４のいずれか一項に記載の設計委託システムにおいて、
前記設計会社の信用調査を実行する手段が、公開ホームページ上で当該会社の前年度の経理状況および設計業務の実績を入力させる画面を備えた
ことを特徴とする設計委託システム。
【請求項６】
請求項１ないし４のいずれか一項に記載の設計委託システムにおいて、
前記設計会社の価格収集を実行する手段が、公開ホームページ上で当該設計会社の入札金額を入力させる画面を備えた
ことを特徴とする設計委託システム。
【請求項７】
請求項１ないし６のいずれか一項に記載の設計委託システムにおいて、
前記設計委託サーバが、ホームページ上に入力された前記顧客の依頼内容と、前記設計会社のＩＳＯ登録番号，前年度の経理状況，設計業務の実績，図面作成費用とを保持する委託先管理データベースを備えた
ことを特徴とする設計委託システム。
【請求項８】
請求項７に記載の設計委託システムにおいて、
前記設計委託サーバが、ＩＳＯ登録番号，前年度の経理状況，設計業務の実績，図面作成費用に基づき設計委託先を選定する手段を備えた
ことを特徴とする設計委託システム。
【請求項９】
請求項１ないし８のいずれか一項に記載の設計委託システムにおいて、
前記設計委託サーバが、前記顧客に対して図面作成費用，作図完了日を回答する画面を備えた
ことを特徴とする設計委託システム。
【請求項１０】
請求項１ないし９のいずれか一項に記載の設計委託システムにおいて、
前記設計委託サーバが、設計委託先の前記設計会社に日々進捗状況を入力させる画面と、前記顧客にホームページ上で進捗状況を確認させる画面とを備えた
ことを特徴とする設計委託システム。
【発明の詳細な説明】
【０００１】
【発明の属する技術分野】
本発明は、設計委託システムに係り、特に、設計業務を委託しようとする顧客と、複数の設計会社と、前記顧客に代わって前記複数の設計会社の少なくとも１社に前記設計業務を委託する設計仲介会社とが参加する設計委託システムにおいて、顧客の要求に合わせて設計会社の品質，信用，価格を最適化するとともに、納期を管理する手段に関する。
【０００２】
【従来の技術】
発電プラントや化学プラントなどのように数多くの設備，機器からなる大規模システムを計画し完成させるするには、大量の図面を所定の納期までに作成する必要がある。通常、図面の作成作業は、自社または決まった設計会社に委託されている。
【０００３】
【発明が解決しようとする課題】
従来の図面作成手順では、前記自社または決まった設計会社の作業量が多い場合、忙しすぎて作図作業の遅延および品質の低下が発生しやすい。
【０００４】
また、自社または決まった設計会社には、人員および時間に限界があり、作業コストの削減も困難である。
【０００５】
そこで、いわゆるアウトソーシングで、設計を外部に委託しようとする場合、人員および時間の限界は軽減されるので、遅延は軽減されるが、品質の維持が改題となる。
【０００６】
例えば、特開平１０−１６２０６６号公報，特開平１０−２７５１９１号公報，特開平１１−１１０４４１号公報は、電子商取引において取引を円滑に実行する方法を示しているが、設計会社の技術水準などを予め絞り込むための具体的手順を記載していないので、事前に優れた設計会社を選択するための参考にはならない。
【０００７】
本発明の目的は、設計仲介会社が、顧客に代わって設計業務を委託する際に、複数の設計会社を活用し、顧客に対して所定品質の設計業務を安価に提供できる設計委託システムを提供することである。
【０００８】
【課題を解決するための手段】
本発明は、上記目的を達成するために、設計業務を委託しようとする顧客と、複数の設計会社と、顧客に代わって複数の設計会社の少なくとも１社に設計業務を委託する設計仲介会社とが参加する設計委託システムにおいて、設計仲介会社が、公開ホームページ上で各設計会社の品質調査，信用調査，価格収集を実行する手段を含む設計委託サーバを備えた設計委託システムを提案する。
【０００９】
本発明によれば、設計仲介会社が、顧客に代わって設計業務を委託する際に、公開ホームページ上で、複数の設計会社に対して品質調査，信用調査，価格収集を実施するので、顧客に対しては、所定品質の設計業務を安価に提供できる。
【００１０】
前記設計委託サーバは、公開ホームページ上で顧客の依頼を受け付ける手段を備えることができる。
【００１１】
複数の設計会社に設計業務を委託する際に、ホームページ上で、顧客の依頼を受け付けるため、仲介業務を迅速かつ低コストに運用できる。
【００１２】
前記設計委託サーバは、設計業務を委託する際に、顧客の依頼内容を公開ホームページ上に掲載する手段と、複数の設計会社間で競争入札させる手段とを備える。
【００１３】
顧客の依頼内容を設計会社向けホームページ上に掲載し、複数の設計会社間で競争入札するので、国内外を問わず、より安価な設計会社に設計業務を委託できる。
【００１４】
前記設計会社の品質調査を実行する手段は、公開ホームページ上でＩＳＯ登録番号を入力させる画面を備える。
【００１５】
前記設計会社の信用調査を実行する手段は、公開ホームページ上で当該会社の前年度の経理状況および設計業務の実績を入力させる画面を備える。
【００１６】
設計会社の品質調査，信用調査をホームページ上で実施するときに、ＩＳＯ登録番号，前年度の経理状況，設計業務の実績を入力してもらう結果、より信頼性の高い設計会社に設計を委託できる。
【００１７】
前記設計会社の価格収集を実行する手段は、公開ホームページ上で当該設計会社の入札金額を入力させる画面を備える。
【００１８】
前記設計委託サーバは、ホームページ上に入力された顧客の依頼内容と、設計会社のＩＳＯ登録番号，前年度の経理状況，設計業務の実績，図面作成費用とを保持する委託先管理データベースを備える。
【００１９】
前記設計委託サーバは、ＩＳＯ登録番号，前年度の経理状況，設計業務の実績，図面作成費用に基づき設計委託先を選定する手段を備える。
【００２０】
ホームページ上に入力された依頼内容，ＩＳＯ登録番号，前年度の経理状況，設計業務の実績，過去の採用実績，図面作成費用を保持する機能と、設計委託先を選定する機能を備えているため、納期および品質を確実に管理できる。
【００２１】
前記設計委託サーバは、顧客に対して図面作成費用，作図完了日を回答する画面を備える。
【００２２】
前記設計委託サーバは、設計委託先の設計会社に日々進捗状況を入力させる画面と、顧客にホームページ上で進捗状況を確認させる画面とを備える。
【００２３】
顧客の注文に対して、図面作成費用および納期を回答する機能を備えており、設計委託先に日々進捗状況を入力してもらい、顧客が常にホームページ上で進捗状況を確認できるので、契約上の図面提出期限を守りやすい。
【００２４】
【発明の実施の形態】
次に、図１〜図２０を参照して、本発明による設計委託システムの実施形態を説明する。
【００２５】
図１は、本発明による設計委託システムの一実施形態の構成を示すブロック図である。
【００２６】
本実施形態の設計委託システムは、少なくとも１社の顧客７と、設計委託サーバ２と、複数の設計会社Ａ８−１，設計会社Ｂ８−２，設計会社Ｃ８−３とからなり、それぞれのコンピュータが、例えばインターネットなどのネットワークにより接続されている。
【００２７】
ここでは、顧客７を一社しか表示していないが、設計会社８が複数８−１，８−２，８−３，…あるように、実際は、複数の顧客７−１，７−２，…が存在することが一般的である。
【００２８】
設計委託サーバ２は、設計仲介会社３がホームページ上に開設している公開サーバであり、設計委託先・図面管理データベース１を含んでいる。設計委託サーバ２には、不正アクセスを防止するために、ファイアウォール４を設置することが望ましい。
【００２９】
顧客７が、顧客向けホームページ５を介して、設計委託サーバ２に設計業務を依頼するには、設計委託サーバ２の管理者に申し出てユーザ登録を事前に済ませておき、登録時に受け取ったユーザＩＤを用いて、設計委託サーバ２にアクセスし、設計業務を依頼する。
【００３０】
設計業務を依頼された内容は、設計会社向けホームページ６に掲載される。設計会社８−１，８−２，８−３は、設計会社向けホームページ６に掲載された内容を確認する。
【００３１】
図２は、図１に示した設計委託システムにおける提供情報の種類と情報の伝達状態とを示す図である。
【００３２】
顧客７が設計仲介会社３に送る顧客提供情報２０は、設計委託先・図面管理データベース１に保管される。顧客提供情報２０には、顧客７のメーカ名２１，図面名称２２，図面種別２３，図面サイズ２４，図面縮尺２５，図面枚数２６，図面フォーマット２７，作図資料の種別２８，納期２９などがある。
【００３３】
設計会社８の担当者は、それぞれのコンピュータから設計会社向けホームページ６にアクセスして、顧客提供情報２０の一部を閲覧できる。
【００３４】
設計会社８が設計仲介会社３に提供する設計会社提供情報３０は、設計委託先・図面管理データベース１に保管される。設計会社提供情報３０には、作業完了予定日３１，設計会社８のＩＳＯ９００１登録番号３２，前年度の経理状況３３，設計業務の実績３４，入札金額３５，設計会社名３６，所在国３７，連絡先３８などがある。
【００３５】
設計仲介会社３の設計委託サーバ２は、設計会社提供情報３０に基づいて、図面を作成依頼するのに最も有利な設計会社を選択し、顧客７に設計仲介会社提供情報１０として連絡する。設計仲介会社提供情報１０には、図面作成費用１１，図面要求厳守可否１２，作図完了予定日１３，注文番号１４などがある。
【００３６】
図３は、入札までの処理手順を示すフローチャートである。図４〜図１５に示すコンピュータの表示画面を参照しながら、入札までの処理手順を説明する。
【００３７】
顧客７の担当者が設計を委託するには、まず、顧客向けホームページ５を介して、設計委託サーバ２にアクセスする（ステップ４０）。
【００３８】
図４は、顧客７が設計委託システムにログインする画面である。顧客７が設計委託サーバ２にアクセスすると、顧客側コンピュータには、図４に示す設計委託システムへのログイン画面が表示される。
【００３９】
顧客７の担当者は、事前に与えられたユーザＩＤおよびパスワードを図４に示すユーザＩＤ入力窓６１およびパスワード入力窓６２に必要なデータを入力し、入力事項に誤りがないことを確認して、ログインボタン６３をクリックする。
【００４０】
図４の画面が表示された後に、ログインを取り止める場合は、キャンセルボタン６４をクリックすると、ログイン操作を中止できる。
【００４１】
図５は、顧客７が作図を依頼するメニュー選択画面である。設計委託システムにログインすると、図５に示すメニュー選択画面に表示画面が変わり、次の処理に進むことができる。
【００４２】
図５は、設計委託システムのメニュー選択画面を示しており、新規作成７０，図面訂正７１，作図状況確認７３などのメニューが用意されている（ステップ４１）。
【００４３】
図６は、顧客７が作図依頼内容を入力する画面である。新規作成の場合には、新規作成ボタン７０をクリックすると、図６の新規作成メニュー選択画面に変わる（ステップ４２）。
【００４４】
顧客７の担当者が、図６に示した新規作成メニュー選択画面において、図面名称２２，図面種別２３，図面サイズ２４，図面縮尺２５，図面枚数２６，図面フォーマット２７，作図資料の種別２８，納期２９を各欄８０〜８６に必要なデータを入力し、登録ボタン８７をクリックすると、依頼内容が、設計委託サーバ２に登録される（ステップ４３）。
【００４５】
図７は、顧客７の作図依頼情報を設計会社向けホームページに掲載するとともに設計仲介会社が各図面の進捗状況を確認する画面である。設計委託サーバ２に登録された顧客７の依頼内容は、図７に示すＤｒａｗｉｎｇ　Ｏｒｄｅｒ　Ｌｉｓｔ画面として、設計会社向けホームページ６に掲載される。
【００４６】
設計会社８は、図７に示す画面で、図６に示した顧客７の依頼内容（図面名称２２，図面種別２３，図面サイズ２４，図面縮尺２５，図面枚数２６，図面フォーマット２７，作図資料の種別２８，納期２９）に対応する情報（Ｄｒａｗｉｎｇ　Ｔｉｔｌｅ，〜ｔａｒｇｅｔ　ｄａｔｅ）と、落札されたものに“○”が表示されるｃｏｍｐｌｅｔｅ欄９１とにより、現状の契約状況を確認できる（ステップ４４）。
【００４７】
図８は、入札を希望する設計会社８が必要事項を入力する画面である。設計会社８が、図７に示す画面で、顧客７の依頼内容を確認し、入札を希望する場合、該当するＯｒｄｅｒ　Ｎｏ．　９０をクリックすると、図８のＤｒａｗｉｎｇ　Ｏｒｄｅｒ画面が開く。
【００４８】
設計会社８が、図８のＤｒａｗｉｎｇ　Ｏｒｄｅｒ画面で、作業完了日３１，設計会社のＩＳＯ９００１登録番号３２，前年度の経理状況３３，設計業務の実績３４，入札金額３５，設計会社名３６，所在国３７，担当者名３８，連絡先３９を各欄（１００〜１０７）に入力し、ａｇｒｅｅボタン１０８をクリックすると、設計委託サーバ２に登録される（ステップ４５）。
【００４９】
図８の画面が表示された後に、入札依頼を取り止める場合は、ｃａｎｃｅｌボタン１０９をクリックすれば、入札依頼を中止できる。
【００５０】
設計仲介会社３の管理者は、各設計会社８が情報を入力したことを確認して、設計委託先を選定する。
【００５１】
図９は、設計仲介会社３の管理者が設計委託システムにログインする画面である。設計仲介会社３の管理者は、図９の管理者ログイン画面で、図９に示す管理者ＩＤ入力窓１１０およびパスワード入力窓１１１に必要なデータを入力して、入力事項に誤りがないことを確認し、ログインボタン１１２をクリックする。
【００５２】
図９の画面が表示された後に、ログインを取り止める場合は、キャンセルボタン１１３をクリックすると、ログイン操作を中止できる。
【００５３】
図１０は、設計仲介会社３の管理者のメニュー選択画面である。設計委託システムにログインすると、図１０に示す設計委託システムの管理者メニュー選択画面に表示が変わり、次の処理に進むことができる。
【００５４】
図１０の管理者メニュー選択画面において、設計会社８に入札中のものは、設計依頼受信情報欄１１４に件数が表示され、設計会社で作図中のものは、図面作成中欄１１５に件数が表示され、完成図の受信情報は、完成図受信情報欄１１６に件数が表示される。
【００５５】
設計委託先を選択する場合は、委託先選択ボタン１１７をクリックする。操作を取り止める場合は、キャンセルボタン１１９をクリックする。
【００５６】
図１１は、設計仲介会社の管理者が入札を希望する設計委託先を確認するメニュー画面である。委託先選択を選択した場合、図１１に示す設計委託先選定メニューに表示画面が変わり、設計委託先が未決定のものが表示される。
【００５７】
図１２は、設計仲介会社の管理者が設計委託先を決定する画面である。管理者が設計委託先を選定する場合、対象となる図面の注文番号１２０をクリックすると、図１２の設計委託先リストが表示される。前の画面に戻る場合は、戻るボタン１２１をクリックする。
【００５８】
図１２の設計委託先リストは、選択図面に対応して、入札を希望する設計会社８の入力情報（作業完了予定日３１，設計会社のＩＳＯ９００１登録番号３２，前年度の経理状況３３，設計業務の実績３４，入札金額３５）および採用実績１２２が表示される。設計委託サーバ２は、自動的に信頼性１２３を評価する。
【００５９】
設計委託先リスト上で、設計仲介会社３の管理者が対象となる“設計会社名”１２４をクリックすると、設計委託先が最終的に確定する（ステップ４６）。
【００６０】
図１３は、設計仲介会社が顧客に図面作成費用，作図完了予定日などを通知する画面である。設計仲介会社は、設計委託先が決定したら、顧客７に電子メールで図面作成費用，作図完了予定日などを通知する。
【００６１】
顧客７が設計委託サーバ２にログインした時点で、図１３の設計委託受付画面に画面が変わり、図面作成費用１１，要求日厳守可否１２，作図完了予定日１３，注文番号１４が表示される（ステップ４７）。注文を取り消す場合は、図１３のキャンセルボタン１３１をクリックする。
【００６２】
図１４は、設計仲介会社が顧客７に設計委託受け付けを通知する画面である。顧客７が、注文内容に誤りがないことを確認し、注文するボタン１３０をクリックすると、図１４の設計委託受付完了画面が表示される。
【００６３】
図１４は、設計委託受付完了画面を示し、設計仲介会社３は、顧客７に作図資料の送付を促す。
【００６４】
図１５は、顧客が設計仲介会社に作図に必要な資料を送信する画面である。送付方法には、例えば、インターネット，郵送，ＦＡＸの３種類がある。
【００６５】
インターネットで送信する場合は、資料送信ボタン１３３をクリックし、図１５の作図資料送信画面に進む。郵送またはＦＡＸで送付する場合は、図１４の連絡先１３２を控え、閉じるボタン１３４をクリックして終了し、作図資料を設計仲介会社３に郵送またはＦＡＸで送付する。
【００６６】
顧客７が電子データを送信する場合、添付ボタン１３５をクリックし、顧客７のコンピュータ内のデータから選択する。選択したファイルが、作図資料欄１３６に表示されるので、必要に応じて連絡事項欄１３７に特記事項を入力し、送信ボタン１３８をクリックする（ステップ４８）。
【００６７】
インターネットで送信しない場合は、キャンセルボタン１３９をクリックし、前画面に戻る。
【００６８】
設計仲介会社３は、作図資料を受領した後、ステップ４６において選定した設計会社に電子メールで連絡する（ステップ４９）。
【００６９】
図１６は、作図完了までの処理手順を示すフローチャートである。図１７〜２０に示すコンピュータの表示画面を参照しながら、作図完了までの処理手順を説明する。
【００７０】
作図資料を転送した後、設計仲介会社３は、設計会社８から作図資料受領の有無を確認する。受領を確認した時点で、図７のｃｏｍｐｌｅｔｅ欄９１に“○”が表示され、作図作業開始となる（ステップ１５０）。
【００７１】
図１７は、設計仲介会社が設計会社に進捗状況を日々確認する画面である。設計会社８は、日々、作成完了枚数をｆｉｎｉｓｈ欄１６５に、進捗状況をｐｒｏｇｒｅｓｓ欄１６６に入力し、設計仲介会社３に連絡する（ステップ１５１）。
【００７２】
確認した状況は、設計委託サーバ２に更新（ステップ１５２）される。
【００７３】
設計仲介会社３の管理者が確認する場合には、図１０の管理者用メニュー画面で、作図状況確認ボタン１１８をクリックすると、図７の“Ｄｒａｗｉｎｇ　Ｏｒｄｅｒ　Ｌｉｓｔ”が表示され、ｐｒｏｇｒｅｓｓ欄９２で進捗状況を確認できる。
【００７４】
顧客７が進捗状況を確認する場合は、図５の設計委託システムのメニュー選択画面で、新規作成依頼時に入手した注文番号１４を注文番号記入欄７４に入力し、作図状況確認ボタン７３をクリックする（ステップ１５５〜１５６）。
【００７５】
図１８は、顧客７が作図を依頼している図面の進捗状況を確認する画面である。図１８の進捗状況確認メニューを開くと、作業の進捗状況に応じて、進捗状況確認欄１７０が、例えば点滅するので、容易に確認できる。図面の作成状況は、作成状況欄１７１で確認できる（ステップ１５７）。確認後に閉じるボタン１７２をクリックすると、終了する。
【００７６】
設計会社８で作図を完了した図面は、設計仲介会社３に転送される。
【００７７】
図１９は、顧客および設計仲介会社が図面訂正を希望する場合に必要事項を入力する画面である。図１９は、完成図確認画面を示しており、設計仲介会社３が完成図を受信した時点で表示される（ステップ１５３）。
【００７８】
完成図の内容を確認する場合は、完成図確認メニュー欄１８０の注文番号欄１８１に注文番号１４を入力し、自動的に表示される図面名称２２および顧客７の名称を確認し、図面確認ボタン１８４をクリックする。
【００７９】
設計仲介会社３で確認した結果、図面に問題無ければ、図面提出ボタン１８５をクリックし、顧客７に図面を提出する。図１９で、完成図確認メニューを閉じる場合は、キャンセルボタン１８７をクリックする。
【００８０】
以上で設計委託作業は、完了する（ステップ１５４）。
【００８１】
図面に不備があり、訂正する場合は、図１９で、図面訂正ボタン１８６をクリックする。
【００８２】
図２０は、設計仲介会社が設計会社の完成図を受領した際の画面である。図２０の図面訂正依頼画面で、コメント１７５および発行要求日１７６を入力し、登録ボタン１７７をクリックする。図２０で、図面訂正依頼メニューを閉じる場合は、キャンセルボタン１７８をクリックする。
【００８３】
一方、顧客７が図面を受領した後、訂正がある場合は、図５の設計委託システムのメニュー選択画面で、新規作成依頼時に入手した注文番号１４を注文番号記入欄７２に入力し、図面訂正ボタン７１をクリックする（ステップ１５８〜１５９）。図２０の図面訂正メニューを開き、コメント１７５および発行要求日１７６を入力し、登録ボタン１７７をクリックする（ステップ１６０〜１６１）。
【００８４】
以降の操作は、新規作成時（ステップ１５０）と同様である。
【００８５】
【発明の効果】
本発明によれば、設計仲介会社が、顧客に代わって設計業務を委託する際に、公開ホームページ上で、複数の設計会社に対して品質調査，信用調査，価格収集を実施するので、顧客に対しては、所定品質の設計業務を安価に提供できる。
【００８６】
複数の設計会社に設計業務を委託する際に、ホームページ上で、顧客の依頼を受け付けるため、仲介業務を迅速かつ低コストに運用できる。
【００８７】
顧客の依頼内容を設計会社向けホームページ上に掲載し、複数の設計会社間で競争入札するので、国内外を問わず、より安価な設計会社に設計業務を委託できる。
【００８８】
設計会社の品質調査，信用調査をホームページ上で実施するときに、ＩＳＯ登録番号，前年度の経理状況，設計業務の実績を入力してもらう結果、より信頼性の高い設計会社に設計を委託できる。
【００８９】
ホームページ上に入力された依頼内容，ＩＳＯ登録番号，前年度の経理状況，設計業務の実績，過去の採用実績，図面作成費用を保持する機能と、設計委託先を選定する機能を備えているため、納期および品質を確実に管理できる。
【００９０】
顧客の注文に対して、図面作成費用および納期を回答する機能を備えており、設計委託先に日々進捗状況を入力してもらい、顧客が常にホームページ上で進捗状況を確認できるので、契約上の図面提出期限を守りやすい。
【００９１】
【図面の簡単な説明】
【図１】
本発明による設計委託システムの一実施形態の構成を示すブロック図である。
【図２】
図１に示した設計委託システムにおける提供情報の種類と情報の伝達状態とを
示す図である。
【図３】
入札までの処理手順を示すフローチャートである。
【図４】
顧客が設計委託システムにログインする画面である。
【図５】
顧客が作図を依頼するメニュー選択画面である。
【図６】
顧客が作図依頼内容を入力する画面である。
【図７】
顧客の作図依頼情報を設計会社向けホームページに掲載するとともに設計仲介
会社が各図面の進捗状況を確認する画面である。
【図８】入札を希望する設計会社が必要事項を入力する画面である。
【図９】設計仲介会社の管理者が設計委託システムにログインする画面である。
【図１０】設計仲介会社の管理者のメニュー選択画面である。
【図１１】設計仲介会社の管理者が入札を希望する設計委託先を確認するメニュー画面である。
【図１２】設計仲介会社の管理者が設計委託先を決定する画面である。
【図１３】設計仲介会社が顧客に図面作成費用，作図完了予定日などを通知する画面である。
【図１４】設計仲介会社が顧客に設計委託受け付けを通知する画面である。
【図１５】顧客が設計仲介会社に作図に必要な資料を送信する画面である。
【図１６】作図完了までの処理手順を示すフローチャートである。
【図１７】設計仲介会社が設計会社に進捗状況を日々確認する画面である。
【図１８】顧客が作図を依頼している図面の進捗状況を確認する画面である。
【図１９】顧客および設計仲介会社が図面訂正を希望する場合に必要事項を入力する画面である。
【図２０】設計仲介会社が設計会社の完成図を受領した際の画面である。
【符号の説明】
１　設計委託先・図面管理データベース
２　設計委託サーバ
３　設計仲介会社
４　ファイアウォール
５　顧客向けホームページ
６　設計会社向けホームページ
７　顧客
７−１　顧客
７−２　顧客
７−３　顧客
８　設計会社
８−１　設計会社
８−２　設計会社
８−３　設計会社
【図１】
2004038890.tif 000003
【図２】
2004038890.tif 000004
【図３】
2004038890.tif 000005
【図４】
2004038890.tif 000006
【図５】
2004038890.tif 000007
【図６】
2004038890.tif 000008
【図７】
2004038890.tif 000009
【図８】
2004038890.tif 000010
【図９】
2004038890.tif 000011
【図１０】
2004038890.tif 000012
【図１１】
2004038890.tif 000013
【図１２】
2004038890.tif 000014
【図１３】
2004038890.tif 000015
【図１４】
2004038890.tif 000016
【図１５】
2004038890.tif 000017
【図１６】
2004038890.tif 000018
【図１７】
2004038890.tif 000019
【図１８】
2004038890.tif 000020
【図１９】
2004038890.tif 000021
【図２０】
2004038890.tif 000022